(57)【要約】【課題】放電ランプの異常を正確に検知することができる放電灯点灯装置を提供する。【解決手段】放電ランプＦＬに加わる電圧を検知する電圧検知部６と、電圧検知部６が検知した電圧が電圧閾値よりも大きいときにインバータ部５にかかる電気的ストレスを軽減するようにインバータ部５を制御するスイッチング制御部３ｂと、放電ランプＦＬのランプ最冷点温度を検知する温度検知部１と、放電ランプＦＬの光出力の変化に伴って変化する電流を検知する電流検知部と、温度検知部１が検知したランプ最冷点温度と電流検知部が検知したランプ電流とに応じて電圧閾値を決定する電圧閾値決定部３ａとを備える。放電ランプＦＬの光出力や最冷点温度が変化したときに、放電ランプＦＬに加わる電圧の正常値の変動に合わせて電圧閾値を変化させるから、放電ランプＦＬの異常を正確に検知することができる。【選択図】        図１
2004355859.tif 000002
【特許請求の範囲】
【請求項１】
放電ランプと、放電ランプを点灯するための点灯手段と、点灯手段を制御して放電ランプの光出力を変化させる調光手段と、放電ランプに加わる電圧を検知する電圧検知手段と、電圧検知手段が検知した電圧が電圧閾値よりも大きいときに点灯手段にかかる電気的ストレスを軽減するように点灯手段を制御する異常検知手段と、放電ランプの状態を検知する状態検知手段と、状態検知手段の出力に応じて電圧閾値を決定する電圧閾値決定手段とを備えることを特徴とする放電灯点灯装置。
【請求項２】
状態検知手段は、放電ランプの最冷点温度を検知する温度検知部と、放電ランプの光出力の変化に伴って変化する電流を検知する電流検知部とを備えることを特徴とする請求項１記載の放電灯点灯装置。
【請求項３】
状態検知手段は、放電ランプの照度を検知する照度検知部と、放電ランプの光出力の変化に伴って変化する電流を検知する電流検知部とを備えることを特徴とする請求項１記載の放電灯点灯装置。
【請求項４】
電圧閾値の最小値を８２Ｖとしたことを特徴とする請求項１乃至請求項３のいずれかに記載の放電灯点灯装置。
【請求項５】
電圧閾値の最大値を８４６Ｖとしたことを特徴とする請求項１乃至請求項４のいずれかに記載の放電灯点灯装置。
【発明の詳細な説明】
【０００１】
【発明の属する技術分野】
本発明は、放電ランプの異常を検知する機能を有する放電灯点灯装置に関するものである。
【０００２】
【従来の技術】
従来から、スイッチング素子を用いたフルブリッジ回路やハーフブリッジ回路によって直流電圧／電流を高周波電圧／電流に変換するインバータ回路などの点灯手段を用いて蛍光灯などの放電ランプを点灯させる放電灯点灯装置が提供されている。
【０００３】
ここで、一般的な放電ランプは、それぞれ熱電子放射物質（エミッタ）が塗布された一対のフィラメントを有し、寿命末期には、エミッタの消耗やフィラメントの断線などの異常が発生する。そして、何の対策も施さなかった場合、放電ランプに上記の異常が発生した場合にも点灯手段は放電ランプに電力を供給し続けようとするため、点灯手段のスイッチング素子などの回路部品に過大な電気的ストレスが加えられて破壊されるおそれがある。
【０００４】
このような問題を防止するために、放電ランプの異常を検知して点灯手段を停止あるいは出力低下することで点灯手段にかかる電気的ストレスを低減し点灯手段を保護する技術が知られている。
【０００５】
上記の技術を用いた放電灯点灯装置として、例えば図７に示すものが提案されている。この放電灯点灯装置は、放電ランプＦＬの両フィラメントの非電源側端間に接続されたコンデンサＣ３と、複数のスイッチング素子を有し放電ランプＦＬの電源側端間ＸＹに接続され放電ランプＦＬに高周波電圧を加える図示しないインバータ部と、インバータ部のスイッチング素子をオンオフ制御する図示しない制御部と、放電ランプＦＬに加わるランプ電圧を検知する電圧検知部６と、電圧検知部６に検知されたランプ電圧に基づいて放電ランプＦＬの異常を検知するコンパレータＯＰとを備え、放電ランプＦＬの非電源側端間には共振用のコンデンサＣ３が接続されている。
【０００６】
電圧検知部６は、放電ランプＦＬのフィラメントとグランドとの間に接続されたダイオードＤ２と抵抗Ｒ１，Ｒ２との直列回路と、抵抗Ｒ２に並列に接続されたコンデンサＣ４とを備え、放電ランプＦＬのフィラメントとグランドとの間の電位差を、ダイオードＤ２で整流し、抵抗Ｒ１，Ｒ２で分圧し且つコンデンサＣ４で平滑して出力する。
【０００７】
コンパレータＯＰは、ツェナーダイオードＺＤによって作成される基準電圧と電圧検知部６の出力電圧とを比較し、電圧検知部６の出力電圧が基準電圧を上回っておればＬレベルの出力を、下回っていればＨレベルの出力をそれぞれ発生する。制御部は、コンパレータＯＰがＬレベルの出力を発生したときにインバータ部のスイッチング素子をオフさせる。
【０００８】
また、別の方法で放電ランプの異常を検知する放電灯点灯装置として、図８に示すものがある（例えば、特許文献１参照）。この放電灯点灯装置は、２個の放電ランプＦＬａ，ＦＬｂを備え、一方の放電ランプＦＬで異常が発生すると、ランプ電圧の位相が２個の放電ランプＦＬａ，ＦＬｂの間で互いにずれることを利用して放電ランプＦＬａ，ＦＬｂの異常を検知するものである。
【０００９】
具体的に説明すると、この放電灯点灯装置は、２本の放電ランプＦＬａ，ＦＬｂを有する負荷部ＬＯＡと、交流電源ＡＣを全波整流するダイオードブリッジＤＢと、ダイオードブリッジＤＢの直流電力を図示しないハーフブリッジ回路を構成するスイッチング素子のスイッチング動作によって高周波電力に変換し負荷部ＬＯＡに入力するインバータ部ＩＮＶと、それぞれ放電ランプＦＬａ，ＦＬｂのランプ電圧を検知する非平滑検知部ＳＶａ，ＳＶｂと、非平滑検知部ＳＶａ，ＳＶｂの出力に基づいてインバータ部ＩＮＶの出力を制御する制御部ＣＯＮとを備える。ダイオードブリッジＤＢの出力端間には、雑音防止用のコンデンサＣ５がインバータ部ＩＮＶに対して並列に接続されている。
【００１０】
各部について詳しく説明すると、負荷部ＬＯＡは、２本の放電ランプＦＬａ，ＦＬｂと、各放電ランプＦＬａ，ＦＬｂの両フィラメントの非電源側端間にそれぞれ接続された共振コンデンサＣ３ａ，Ｃ３ｂと、各放電ランプＦＬａ，ＦＬｂの一方のフィラメントの電源側端間に接続されたバランサＬ３と、バランサＬ３の中間点とインバータ部ＩＮＶとの間に接続された共振インダクタＬ２と直流カットコンデンサＣ２との直列回路とからなり、インバータ部ＩＮＶが出力した高周波電力を共振インダクタＬ２と直流カットコンデンサＣ２との直列回路とバランサＬ３とを介して２個の放電ランプＦＬａ，ＦＬｂに供給して並列点灯させるようにしてある。
【００１１】
非平滑検知部ＳＶａ（ＳＶｂ）は、共振コンデンサＣ３ａ（Ｃ３ｂ）とグランドとの間に接続されたダイオードＤ３（Ｄ４）と抵抗Ｒ３，Ｒ４（Ｒ５，Ｒ６）との直列回路を備え、放電ランプＦＬａ（ＦＬｂ）の電圧をダイオードＤ３（Ｄ４）によって整流し抵抗Ｒ３，Ｒ４（Ｒ５，Ｒ６）によって分圧して制御部ＣＯＮに入力する。
【００１２】
制御部ＣＯＮは、非平滑検知部ＳＶａ，ＳＶｂから出力された電圧の差の絶対値を予め設定された閾値と比較し、差の絶対値が閾値を超えたときにインバータ部ＩＮＶの出力の周波数を負荷回路ＬＯＡのＬ２，Ｃ３ａ，Ｃ３ｂからなる共振回路の共振周波数よりも十分に高くするように制御することにより、放電ランプＦＬａ，ＦＬｂに加わる電圧を低下させ、インバータ部ＩＮＶのスイッチング素子に過大な電気的ストレスが加わることを防止する。
【００１３】
【特許文献１】
特開平１−１６７９８６号公報（第３−７頁、第１図）
【００１４】
【発明が解決しようとする課題】
ところで、放電ランプに流す電流を小さくして放電ランプの光出力を低くする調光点灯を行う場合、放電ランプの調光点灯時のランプ電圧は光出力を低くしない全点灯時よりも大きくなる。従って、前者の放電灯点灯装置の技術を調光点灯を行う放電灯点灯装置に採用した場合、電圧閾値を全点灯時を想定した低い値に設定していると、放電ランプＦＬに異常がなくても調光点灯時に異常発生時の動作をしてしまうおそれがあった。この誤動作を防ぐするために電圧閾値を調光点灯時を想定した高い値に設定すると、放電ランプＦＬの全点灯時に異常が発生した場合に検知するまでに時間がかかり、例えばインバータ回路のスイッチング素子に過大な負荷がかかって破損の原因となるおそれがあるから、電圧閾値を調光点灯時を想定した高い値に設定することによって誤動作を防ぐことはできない。
【００１５】
また、一定の電圧閾値によって異常を検知する方法では別の問題もある。ここで、放電ランプの最冷点温度（以下、「ランプ最冷点温度」と呼ぶ）が０℃，２５℃，７０℃の場合に対して、ランプ電流Ｉとランプ電圧Ｖｌとの関係を図９にそれぞれ実線ａ，破線ｂ，一点鎖線ｃで示す。図９に表れているように、ランプ最冷点温度が７０℃のときの正常なランプ電圧は、ランプ最冷点温度が２５℃のときの正常なランプ電圧に比べ、例えば放電ランプに放電によって流れる電流（以下、「ランプ電流」と呼ぶ）がＩＡのときにはΔＶ１だけ大きくなる。また、ランプ最冷点温度が０℃のときの正常なランプ電圧は、ランプ最冷点温度が７０℃のときの正常なランプ電圧に比べ、例えばランプ電流がＩＢのときにはΔＶ２だけ大きくなる。このように、放電ランプの光出力だけでなくランプ最冷点温度によっても正常なランプ電圧は変化するから、一定の電圧閾値によって異常を検知する方法では正確に異常を検知することができない。
【００１６】
また、後者の放電灯点灯装置の技術は、２個の放電ランプＦＬａ，ＦＬｂを有することを前提としたものであり、放電ランプを１個しか備えない放電灯点灯装置には採用することができない。さらに、２個の放電ランプＦＬａ，ＦＬｂに同時に異常が発生した場合には異常を検知することができないから、正確に異常を検知することができない。
【００１７】
本発明は上記事由に鑑みてなされたものであり、その目的は、放電ランプの異常を正確に検知することができる放電灯点灯装置を提供することにある。
【００１８】
【課題を解決するための手段】
請求項１の発明は、放電ランプと、放電ランプを点灯するための点灯手段と、点灯手段を制御して放電ランプの光出力を変化させる調光手段と、放電ランプに加わる電圧を検知する電圧検知手段と、電圧検知手段が検知した電圧が電圧閾値よりも大きいときに点灯手段にかかる電気的ストレスを軽減するように点灯手段を制御する異常検知手段と、放電ランプの状態を検知する状態検知手段と、状態検知手段の出力に応じて電圧閾値を決定する電圧閾値決定手段とを備えることを特徴とする。
【００１９】
この発明によれば、放電ランプの光出力などの状態が変化したときに、放電ランプに加わる電圧の正常値が変動しても、放電ランプに加わる電圧の正常値に合わせて電圧閾値を変化させるから、放電ランプの異常を正確に検知することができる。
【００２０】
請求項２の発明は、請求項１の発明において、状態検知手段は、放電ランプの最冷点温度を検知する温度検知部と、放電ランプの光出力の変化に伴って変化する電流を検知する電流検知部とを備えることを特徴とする。
【００２１】
この発明によれば、放電ランプの光出力や最冷点温度が変化したときに、放電ランプに加わる電圧の正常値が変動しても、放電ランプに加わる電圧の正常値に合わせて電圧閾値を変化させるから、放電ランプの異常を正確に検知することができる。
【００２２】
請求項３の発明は、請求項１の発明において、状態検知手段は、放電ランプの照度を検知する照度検知部と、放電ランプの光出力の変化に伴って変化する電流を検知する電流検知部とを備えることを特徴とする。
【００２３】
この発明は、放電ランプの最冷点温度と放電ランプの照度との間に相関があることに着目したものであり、放電ランプの光出力や最冷点温度が変化したときに、放電ランプに加わる電圧の正常値が変動しても、放電ランプに加わる電圧の正常値に合わせて電圧閾値を変化させるから、放電ランプの異常を正確に検知することができる。また、照度検知部は温度検知部に比べて自由な位置に設けることができるから、請求項２の発明に比べて設計の自由度が向上する。
【００２４】
請求項４の発明は、請求項１乃至請求項３のいずれかの発明において、電圧閾値の最小値を８２Ｖとしたことを特徴とする。
【００２５】
請求項５の発明は、請求項１乃至請求項４のいずれかの発明において、電圧閾値の最大値を８４６Ｖとしたことを特徴とする。
【００２６】
【発明の実施の形態】
以下、本発明の実施の形態を図面に基づいて説明する。
【００２７】
（実施形態１）
本実施形態は、図２に示すように、放電ランプＦＬ（図１参照）のランプ最冷点温度を検知する温度検知部１と、放電ランプＦＬの光出力の変化に伴って変化する電流を検知する電流検知部２と、放電ランプＦＬの異常を検知するための電圧閾値を温度検知部１の出力と電流検知部２の出力とに応じて決定する電圧閾値決定部３ａとを備えることにより、放電ランプＦＬの光出力や周囲の温度の変動に関わらず正確に放電ランプＦＬの異常を検知することを可能とするものである。
【００２８】
本実施形態の放電灯点灯装置は他に、図１に示すように、商用電源などの交流電源ＡＣを直流電力に変換するＰＦＣ部４と、ＰＦＣ部４が出力した直流電力を高周波の電力に変換して放電ランプＦＬに供給するインバータ部５と、放電ランプＦＬに加わるランプ電圧を検知する電圧検知部６と、電圧閾値設定部３ａを有しインバータ部５を制御する制御部３とを備える。ＰＦＣ部４とインバータ部５とが点灯手段を構成する。
【００２９】
以下、各部について詳しく説明する。
【００３０】
ＰＦＣ部４は、交流電源ＡＣを全波整流するダイオードブリッジＤＢと、ダイオードブリッジＤＢに接続されたチョッパーチョークＬ１と、チョッパーチョークＬ１に対して直列に接続されたチョッパースイッチング素子Ｑ１と、逆流防止用のチョッパーダイオードＤ１を介してチョッパースイッチング素子Ｑ１の両端に接続された平滑コンデンサＣ１とを備えるいわゆる昇圧チョッパ回路である。
【００３１】
チョッパースイッチング素子Ｑ１は制御部３が有するスイッチング制御部３ｂによってオンオフ制御される。チョッパースイッチング素子Ｑ１がオンされている期間はチョッパーチョークＬ１にエネルギーが蓄積される。チョッパースイッチング素子Ｑ１がオフされている期間には、チョッパーチョークＬ１に蓄積されたエネルギーがダイオードＤ１を介して平滑コンデンサＣ１に開放され、ダイオードブリッジＤＢの出力電圧にチョッパーチョークＬ１の両端電圧が重畳された電圧が加わった状態で平滑コンデンサＣ１が充電される。スイッチング制御部３ｂは、チョッパースイッチング素子Ｑ１をＰＷＭ制御することによって、所望の直流出力が得られるように平滑コンデンサＣ１の両端電圧を調整する。この過程で、高調波成分がダイオードブリッジＤＢの出力よりも低減される。
【００３２】
インバータ部５は、平滑コンデンサＣ１の両端間に接続された第１のスイッチング素子Ｑ２と第２のスイッチング素子Ｑ３との直列回路と、第１のスイッチング素子Ｑ２と第２のスイッチング素子Ｑ３との間と放電ランプＦＬの一方のフィラメントの電源側端との間に接続された共振インダクタＬ２と直流カットコンデンサＣ２との直列回路と、放電ランプＦＬの非電源側端間に接続された共振コンデンサＣ３とを備える。第１のスイッチング素子Ｑ２と、第２のスイッチング素子Ｑ３とはそれぞれスイッチング制御部３ｂの制御によって交互にオンオフされる。
【００３３】
インバータ部５の動作を説明する。第１のスイッチング素子Ｑ２がオンされ且つ第２のスイッチング素子Ｑ３がオフされると、平滑コンデンサＣ１を電源としてＣ１→Ｑ２→Ｌ２→Ｃ２→ＦＬ（Ｃ３）→Ｃ１の経路で共振電流が流れる。
【００３４】
次に、第１のスイッチング素子Ｑ２がオフされ且つ第２のスイッチング素子Ｑ３がオンされると、共振インダクタＬ２に蓄積されているエネルギーにより、Ｌ２→Ｃ２→ＦＬ（Ｃ３）→Ｑ３の寄生ダイオード→Ｌ２の経路で回生電流が流れる。その後、回生電流がなくなると、直流カットコンデンサＣ２を電源として、Ｃ２→Ｌ２→Ｑ３→ＦＬ（Ｃ３）→Ｃ２の経路で共振電流が流れる。
【００３５】
さらに、第１のスイッチング素子Ｑ２がオンされ且つ第２のスイッチング素子Ｑ３がオフされると、共振インダクタＬ２に蓄積されているエネルギーにより、Ｌ２→Ｑ２の寄生ダイオード→Ｃ１→ＦＬ（Ｃ３）→Ｌ２の経路で回生電流が流れる。その後、回生電流がなくなると、再び平滑コンデンサＣ１を電源として、Ｃ１→Ｑ２→Ｌ２→Ｃ２→ＦＬ（Ｃ３）→Ｃ１の経路で共振電流が流れる。上記一連の回路動作により、放電ランプＦＬに高周波の電力が供給される。スイッチング制御部３ｂは、スイッチング素子Ｑ２，Ｑ３のオンオフの周波数を変化させて共振コンデンサＣ３の電圧すなわち放電ランプＦＬに加わるランプ電圧を変化させることにより、放電ランプＦＬの予熱、始動、点灯、調光を制御する。つまり、スイッチング制御部３ｂが調光手段である。
【００３６】
電圧検知部６の構成は従来例と同様であるので、対応する構成には同じ符号を付して説明を省略する。
【００３７】
温度検知部１は、例えば放電ランプＦＬの最冷点となる部位の近傍にサーミスタを配設し、このサーミスタの抵抗値からランプ最冷点温度を検知する。
【００３８】
電流検知部２は、例えば第２のスイッチング素子Ｑ３と放電ランプＦＬとの間（図１のＡの位置）に接続され、共振インダクタＬ２と共振コンデンサＣ３との共振電流を検知するものであって、図３に示すように、第２のスイッチング素子Ｑ３に直列に接続された抵抗Ｒ１０と、抵抗Ｒ１０の両端間に接続されたコンデンサＣ１０及びコンデンサＣ１０の放電抵抗Ｒ１１の並列回路とを備える。抵抗Ｒ１０とコンデンサＣ１０との間には、ダイオードＤ１０が接続してある。抵抗Ｒ１０に共振電流が流れると、共振電流の電流値に応じた電圧降下が抵抗Ｒ１０の両端間に生じ、抵抗Ｒ１０の両端の電位差がダイオードＤ１０で整流され且つコンデンサＣ１０で平滑されて出力される。
【００３９】
制御部３は、温度検知部１の出力と電流検知部２の出力とに応じて電圧閾値を決定する電圧閾値決定部３ａと、スイッチング素子Ｑ１〜Ｑ３をオンオフ制御するスイッチング制御部３ｂと、ランプ電圧に対応した電圧検知用コンデンサＣ４の電圧が反転入力に入力されるとともに電圧閾値決定部３ａの出力が非反転入力に入力され出力をスイッチング制御部３ｂに入力するコンパレータＯＰとを備える。ここで、電圧閾値決定部３ａの出力電圧は、電圧閾値に対応するものであって、ランプ電圧と電圧検知部６の出力との関係に応じた電圧としてあり、コンパレータＯＰは、ランプ電圧が電圧閾値を上回っておればＬレベルの出力を、下回っていればＨレベルの出力をそれぞれ発生するようになっている。スイッチング制御部３ｂは、コンパレータＯＰの出力がＬレベルになったときに、インバータ部５にかかる電気的ストレスを軽減するように制御する。具体的には、インバータ部５のスイッチング素子Ｑ２，Ｑ３をオフさせたり、インダクタＬ１とコンデンサＣ３との共振回路の共振周波数に対してインバータ部５のスイッチング素子Ｑ２，Ｑ３をオンオフする周波数を十分に高くして放電ランプＦＬに加える電圧を低下させたりする。つまり、スイッチング制御部３ｂとコンパレータＯＰとが異常検知手段である。電圧閾値決定部３ａとスイッチング制御部３ｂとは、例えば１個のＭＰＵによって実現されるが、電圧閾値決定部３ａとスイッチング制御部３ｂとに別々のＭＰＵを用いてもよい。
【００４０】
電圧閾値は、電流検知部２の出力と温度検知部１の出力とに応じた正常なランプ電圧に基づいて決定され、用いられる放電ランプＦＬの特性のばらつきを考慮して、正常なランプ電圧よりも大きく設定する。具体的には、正常なランプ電圧の１．２倍〜２．０倍程度のいずれかの値に設定するとよい。
【００４１】
電圧閾値決定部３ａが電圧閾値を決定する方法の一例について説明する。電圧閾値決定部３ａには、次表に示すような電圧閾値のテーブルが格納されている。
【００４２】
【表１】
2004355859.tif 000003
【００４３】
電圧閾値決定部３ａは、温度検知部１の出力と電流検知部２の出力とに応じて上の表から決定された範囲から電圧閾値を決定する。
【００４４】
ここで、それぞれ定格消費電力が異なる４種の形式の高周波用スリム環形二重蛍光灯ＦＨＤ４０，ＦＨＤ７０，ＦＨＤ８５，ＦＨＤ１００と３種類の最冷点温度（０℃、２５℃、７５℃）との計１２種類の組み合わせに対して、発明者が推奨する電圧閾値の、一般的な照明装置での調光の範囲に対する最小値と最大値とのそれぞれの範囲を次表に示す。なお、形式名のＦＨＤの後の数は、それぞれ定格消費電力を示す。
【００４５】
【表２】
2004355859.tif 000004
【００４６】
上の表から分かるように、電圧閾値の推奨値のうち、最も小さな値はランプ最冷点温度が７０℃のときのＦＨＤ４０の正常なランプ電圧の１．２倍の８２Ｖである。つまり、電圧閾値は８２Ｖよりも大きく設定することが望ましい。また、電圧閾値の推奨値のうち、最も大きな値はランプ最冷点温度が０℃のときのＦＨＤ１００の正常なランプ電圧の２倍の８４６Ｖである。つまり、電圧閾値は８４６Ｖよりも小さく設定することが望ましい。
【００４７】
上記構成によれば、放電ランプＦＬの異常を判定するための電圧閾値が、ランプ最冷点温度と、放電ランプＦＬの光出力の変化に伴って変化する共振電流とに応じて決定されるから、調光によって放電ランプＦＬの光出力が変動した場合や放電ランプＦＬの周囲の気温が変動した場合に、正常なランプ電圧が変化しても、放電ランプＦＬの異常を正確に検知することができる。
【００４８】
なお、電流検知部２が検知する電流は放電ランプＦＬの光出力の変化に伴って変化する電流であれば共振電流には限られず、例えば電流検知部２は放電ランプＦＬの一方のフィラメントの両端（図１のＢの位置）に接続されてランプ電流を検知する構成としてもよい。
【００４９】
具体的には、電流検知部２は図４に示すように放電ランプＦＬの一方のフィラメントの電源側端と平滑コンデンサＣ１との間に接続された１次コイルと、１次コイルが接続されたフィラメントの他端と共振コンデンサＣ３との間に接続された２次コイルと、３次コイルとを有するトランスＴを備える。共振電流ＩＲがトランスＴの１次コイルに流れ、放電ランプＦＬのフィラメントに流れる電流（以下、「フィラメント電流Ｉｆ」と呼ぶ）が２次コイルに流れると、３次コイルに共振電流ＩＲとフィラメント電流Ｉｆとの差、つまりランプ電流と同じ電流値Ｉｌａ＝（ＩＲ−Ｉｆ）の電流が誘導されるようになっている。
【００５０】
トランスＴの３次コイルの両端間には、抵抗Ｒ２０とコンデンサＣ２０とが互いに並列に接続され、抵抗Ｒ２０とコンデンサＣ２０との間にはダイオードＤ２０が接続されている。コンデンサＣ２０の両端間にはコンデンサＣ２０の放電用の放電用抵抗Ｒ２１が接続されている。トランスＴの３次コイルに誘導された電流が抵抗Ｒ２０に流れると、ランプ電流の電流値Ｉｌａに応じた電圧降下が抵抗Ｒ２０の両端間に生じ、抵抗Ｒ１０の両端の電位差がダイオードＤ２０で整流された後にコンデンサＣ２０で平滑されて出力される。
【００５１】
（実施形態２）
本実施形態の基本構成は実施形態１と同様であるので、共通する構成については説明を省略し、異なる部分についてのみ説明する。
【００５２】
ここで、ランプ最冷点温度が０℃、２５℃、７０℃の場合に対して、照度φとランプ電流Ｉとの関係を図５にそれぞれ実線ｄ，破線ｅ，一点鎖線ｆで示す。図５に表れているように、照度φとランプ電流Ｉとの関係はランプ最冷点温度によって異なる。例えばランプ電流がＩＣであるときには、ランプ最冷点温度が７０℃の場合の照度はランプ最冷点温度が２５℃のときの照度に比べてΔφ高い。本実施形態は、このように放電ランプＦＬの照度がランプ最冷点温度との間に相関を有する点に着目したものであり、実施形態１の温度検知部１に代えて、図６に示すように例えば光電変換素子を用いて放電ランプＦＬの照度を電気信号に変換する照度検知部７を備える。
【００５３】
電圧閾値決定部３ａが電圧閾値を決定する具体的な方法の一例を以下に説明する。まず、電圧閾値決定部３ａは、照度検知部７の出力と電流検知部２の出力とに応じて、例えば次表３に示すテーブルを用いて電圧閾値の範囲を決定する。
【００５４】
【表３】
2004355859.tif 000005
【００５５】
上記構成によれば、ランプ最冷点温度との間に相関がある照度を制御に用いることにより、調光によって放電ランプＦＬの光出力が変化した場合や、放電ランプＦＬの最冷点温度が変化した場合に、放電ランプＦＬに加わる電圧の正常値が変動しても、放電ランプＦＬに加わる電圧の正常値に合わせて電圧閾値を変化させるから、放電ランプＦＬの異常を正確に検知することができる。
【００５６】
ここで、ランプ最冷点温度を検出することができる場所は放電ランプＦＬの近傍に限られるため、実施形態１では温度検知部１を放電ランプＦＬの近くに取り付けなければならなかった。一方本実施形態では、照度はランプ最冷点温度に比べて自由な位置で検知することができるから、設計の自由度が向上する。
【００５７】
【発明の効果】
請求項１の発明は、調光によって放電ランプの光出力が変化した場合のように放電ランプの状態が変化したときに、放電ランプに加わる電圧の正常値が変動しても、ランプの異常を判定する際に基準となる電圧閾値を放電ランプに加わる電圧の正常値に合わせて変化させるから、放電ランプの異常を正確に検知することができる。
【００５８】
請求項２の発明は、請求項１の発明において、状態検知手段は、放電ランプの最冷点温度を検知する温度検知部と、放電ランプの光出力の変化に伴って変化する電流を検知する電流検知部とを備えるので、調光によって放電ランプの光出力が変化した場合や、放電ランプの最冷点温度が変化した場合に、放電ランプに加わる電圧の正常値が変動しても、放電ランプに加わる電圧の正常値に合わせて電圧閾値を変化させるから、放電ランプの異常を正確に検知することができる。
【００５９】
請求項３の発明は、請求項１の発明において、状態検知手段は、放電ランプの照度を検知する照度検知部と、放電ランプの光出力の変化に伴って変化する電流を検知する電流検知部とを備えるので、調光によって放電ランプの光出力が変化した場合や、放電ランプの照度と相関を有する最冷点温度が変化した場合に、放電ランプに加わる電圧の正常値が変動しても、放電ランプに加わる電圧の正常値に合わせて電圧閾値を変化させるから、放電ランプの異常を正確に検知することができる。また、照度検知部は温度検知部に比べて自由な位置に設けることができるから、設計の自由度が請求項２の発明に比べて向上する。
【図面の簡単な説明】
【図１】本発明の実施形態１を示す回路図である。
【図２】同上の要部の構成を示すブロック図である。
【図３】同上のランプ電流検知部を示す回路図である。
【図４】同上の別の形態における電流検知部を示す回路図である。
【図５】異なるランプ最冷点温度に対してランプ電流と照度との関係を示す説明図である。
【図６】本発明の実施形態２の要部の構成を示すブロック図である。
【図７】従来例の要部を示す回路図である。
【図８】別の従来例を示すブロック図である。
【図９】異なるランプ最冷点温度に対してランプ電流と正常なランプ電圧との関係を示す説明図である。
【符号の説明】
１  温度検知部
２  電流検知部
３  制御部
３ａ  電圧閾値決定部
３ｂ  スイッチング制御部
４  ＰＦＣ部
５  インバータ部
６  電圧検知部
７  照度検知部
ＦＬ  放電ランプ
ＯＰ  コンパレータ
【図１】
2004355859.tif 000006
【図２】
2004355859.tif 000007
【図３】
2004355859.tif 000008
【図４】
2004355859.tif 000009
【図５】
2004355859.tif 000010
【図６】
2004355859.tif 000011
【図７】
2004355859.tif 000012
【図８】
2004355859.tif 000013
【図９】
2004355859.tif 000014